(57)【要約】【課題】床版の解体に要する車輌交通規制時間を最小限にし、作業手順が簡明で作業効率が高く大きな騒音を伴うことなく設備費用も低廉で設置自由度も高い床版の解体方法を提供する。【解決手段】床版解体装置６は既設主桁２の下フランジ２ａから立設する支持材８とウエブ２ｂ側面から跳ね出す梁状の受台９と、この受台９の上面に角度調整機構１０を介在して載置するジャッキ１１からなる。床版解体装置６はウェブ２ｂの両側に２基を１組として設置し、左右対称の上揚力を作用させる。床版解体装置６は交通規制前に既設床版１の下側に必要台数分設置しておく。床版解体装置６は既設床版１の下側からジャッキ１１による突き上げで分割床版４を押し剥がす。【選択図】図５
2007100415.tif 000002
【特許請求の範囲】
【請求項１】
既設主桁上に架設されたコンクリート製の既設床版を複数のブロックに切断して撤去する際、既設床版下面にあって既設主桁との定着を解放しようとする箇所の近傍に支持部材及びジャッキからなる上揚機構を配設し、反力を桁材で支持しながら上揚力を既設床版下面に作用させ、既設主桁上フランジと既設床版との定着を解放して両者を分離した後、既設床版を撤去することを特徴とする床版解体方法。
【請求項２】
前記上揚機構は、定着を解放しようとする既設主桁の両側に配設し、左右対称の上揚力を作用させることを特徴とする請求項１記載の床版解体方法。
【請求項３】
前記既設床版は、既設主桁と連結する部分にハンチを有し、前記上揚機構は、このハンチ面に上揚力を作用させることを特徴とする請求項１又は請求項２記載の床版解体方法。
【請求項４】
複数のブロックに切断されたコンクリート製の既設床版を既設主桁から分離するため、桁材に固定する反力台と、この反力台に載置し上面を既設床版下面に当接するジャッキを備えることを特徴とする床版解体装置。
【発明の詳細な説明】
【技術分野】
【０００１】
この発明は、橋梁などの既設主桁上に架設されたコンクリート製の既設床版を撤去して新床版を据え付ける際、既設床版に切り目を入れて分割された床版を既設主桁との定着を解放して分離するための床版解体方法及び床版解体装置に関するものである。
【背景技術】
【０００２】
構築後多年経過した鋼橋のコンクリート製床版は、その老朽化に伴って既設床版の撤去及び新床版の据付工事を行なう必要がある。既設床版としては既設主桁に支持される鉄筋コンクリート製の床版が多いため、撤去に際してはこれを所定の大きさに切断して搬出しなければならない。
【０００３】
供用中の既設床版を取り替える際には、床版の解体に要する車輌交通規制時間を最小限にすること、かつ大きな騒音を伴うことなく、設置自由度も高い床版の解体装置及び解体方法が望まれている。又床版の取替工事では、一夜間で既設床版の撤去と新床版の設置を行うため、限られた時間を有効に使う技術が望まれている。
【０００４】
このような技術的な要請のもと、従来の床版解体方法及び床版解体装置としては、例えば下記に示すような技術が提案されていた。
【特許文献１】特開平６−１３６７２２号公報
【特許文献２】特開平５−３３３１４号公報
【特許文献３】特開平９−１５８１２４号公報
【特許文献４】特開２００３−２４７２１２号公報
【０００５】
特許文献１には、床版上側に設置したジャッキとビームで既設床版を既設主桁から引き剥がす床版解体装置が開示されていた。この従来の床版解体装置及び解体方法を図１３乃至図１４に示す。従来の床版解体の手順は、例えば図１３に示すように、解体を必要とする既設床版１０１にコンクリートカッター等を用いて切断線１０３ａ，１０３ｂを入れて複数の分割床版１０４とし、各分割床版１０４には吊上げ用の孔部１０５を穿設していた。
【０００６】
既設主桁１０２から引き剥がす分割床版１０４を挟んで、隣接するブロックの分割床版１０４，１０４に一対のジャッキ１１０，１１０を据え付け、これにＨ型鋼等からなる梁材１１１を架け渡し、この梁材１１１からＰＣ鋼棒１１２を垂下していた。ＰＣ鋼棒１１２はジャッキ１１０の作用により梁材１１１と共に上下動し得る構成で、分割床版１０４に穿設した孔部１０５と梁材１１１の間隙を貫通しており、分割床版１０４の下面より突出する先端には座金及びナット１１２ａが取り付けられていた。
【０００７】
このような床版解体装置１０６でジャッキ１１０を作動させると、分割床版１０４が引張られ、この時例えば図１５の断面図に示すように、既設主桁１０２との定着部におけるスラブ止め１０７の周辺において、引張及びせん断が促進されて終には一点鎖線に示すような状態で分離したり、あるいはスラブ止め１０７が分割床版１０４から抜け出て分離したり、又場合によってはスラブ止め１０７が切断することで分離することもあった。
【０００８】
分割床版１０４を既設主桁１０２から分離した後は、ＰＣ鋼棒１１２を下降させて既設主桁１０２上に一旦降ろし、床版解体装置１０６を移動させた後、分割床版１０４に穿設した孔部１０５に図示しない吊具を取り付けてクレーン等により吊り上げて撤去していた。
【０００９】
特許文献２には、床版下側にて既設主桁と連結するハンチ部分に研磨材を噴射してジベルを露出させた後、ジベルを切断して切り離す床版解体方法が開示されていた。この解体方法は図１６に示すように、先ず既設主桁２０２近傍の既設床版２０４のハンチ２０５側面を、研磨材噴射装置２０６を用いて長手方向に研削して溝２０５ａを形成し、既設主桁２０２の上フランジ２０２ｃに立設するジベル２０７の基部を露出させていた。
【００１０】
これによりジベル２０７の立設位置を確認し、その後当該ジベル２０７の基部のみを列毎に切断していた。研磨材噴射装置２０６は、ハンチ２０５を挟んで片側に配設する研磨材噴射ノズル２０６ａと、その反対側に配設するキャッチャ２０６ｂとこれに接続する排水管２０６ｃを有し、研磨材噴射ノズル２０６ａは、研磨材を高圧水に随伴させて噴射させており、ハンチ２０５を貫通して吐出される研削屑２０５ｂ及び水をキャッチャ２０６ｂで受け止めていた。
【００１１】
又特許文献３には、床版側面にて横方向のコア抜きでジベルを切断して床版を切り離す床版解体方法が開示されていた。この床版解体方法は、図１７及び図１８に示すように、先ず既設主桁３０２に支持された既設床版３０１を、既設主桁３０２の側部に沿って長手方向に切断線３０３ｂを入れ、さらに、この床版３０１に対し幅方向に適宜間隔で切断線３０３ａを入れることで、複数の矩形状の分割床版３０４としていた。
【００１２】
次に既設主桁３０２から分離された両端及び中央の分割床版３０４をクレーン等により吊り上げて搬出し、既設主桁３０２上にジベル３０７によって結合されている分割床版３０４の両側部の切断面３０５からジベル３０７の配設位置に向かって、コンクリートコア抜き機等を用いて穴３０５ａを形成し、ジベル３０７をコンクリートごと削り取って除去し、これにより分割床版３０４と既設主桁３０２との結合状態を解除していた。
【００１３】
更に特許文献４には、床版上側にて既設主桁上で縦方向にコア抜きした後、静的破砕剤にて床版を切り離す床版解体方法が開示されていた。この床版解体方法は図１９に示すように、鉄筋コンクリート床版４０１の、既設主桁４０２のフランジ４０２ｃ直上部分に多数の孔４０５を形成し、これに静的破砕剤４０５ａを注入することで床版４０１と既設主桁４０２との分離を促していた。静的破砕剤を水と混合して孔に注入すると、膨張圧によりコンクリートの破砕が生ずるものであった。
【発明の開示】
【発明が解決しようとする課題】
【００１４】
しかし、特許文献１に記載されるような、床版上側に設置したジャッキとビームで既設床版を既設主桁から引き剥がす床版解体方法では、引き剥がし作業前に床版解体装置１０６の設置を行ったり、又分割床版１０４に孔部１０５を穿設する等の準備工の開始と同時に車両を通行止めしなければならず、床板の再構築が完了するまで長時間通行止めとなる長い交通規制時間が不可欠で、交通規制時間が限られる場合は、準備工後の残り作業時間が短くなる問題点があった。又、既設床版を吊上げ移動する前にジャッキとビームからなる床版解体装置を移動しなければならず、作業手順が煩雑となり、移動するための時間も必要で作業効率が悪かった。
【００１５】
又従来の床版上側から引き剥がす床版解体方法では、ＰＣ鋼棒を挿通する孔を既設床版にコア抜きしなければならず、又引き剥がしの反力支点を隣接床版でとるため新床版を設置した後でなければ次の既設床版の引き剥がしにかかれない欠点があった。即ち、床版解体装置を隣接する床板に載せかける従来の解体方法では、床版１パネル毎に既設床版の撤去と新床版の設置とを順次行わなければならず効率が非常に悪かった。
【００１６】
又従来の床版解体方法においては、揚力に伴う水平分力が発生するハンチ等の傾斜部にはアンカーをとれなかったため、図２０（ａ）に示すようにＰＣ鋼棒５１２をハンチ５０５を避けて設置していた。従って既設主桁５０２と上揚力作用点との距離ｌが大きくなり、既設床版５０４を剥がす上揚力Ｐが大きい場合には、既設主桁５０２上にあるＣＬ部での曲げモーメントＭCLにより既設床版５０４が曲げ破壊し、図２０（ｂ）に示すように既設床版５０４がバラバラになる恐れがあった。
【００１７】
又特許文献２に記載される研磨剤によるコンクリートのはつり作業を要する従来技術では、飛散防止のために、研磨剤の集積設備や、コンクリート粉の集塵設備、更には散水や集水用の諸設備が必要であり、その設備費用が過大となる欠点があると共に、はつり作業に伴い騒音が発生する問題点があった。
【００１８】
又、特許文献３に記載される横方向のコア抜きでジベルを切断して床版を切り離す従来の床版解体方法では、既設主桁上の床版分離作業に先立ち、支間部の床版を撤去しなければならず、結局床版解体に要する車輌交通規制時間が長くなる欠点があった。
【００１９】
又、特許文献４に記載される静的破砕剤にて床版を切り離す従来の床版解体方法においても、既設床版を既設主桁から引き剥がすためには、既設床版にコア抜きを行い吊上げ治具をセットしないと既設主桁からの分離は行えず、作業時間は長くなりがちであった。
【００２０】
この発明は、従来の床版解体方法及び床版解体装置が有する問題点を解消すべくなされたものであり、供用中の床版を取り替える際の既設床版の解体において、床版の解体に要する車輌交通規制時間を最小限にして限られた時間をできるだけ有効に使い、作業手順が簡明で、しかも作業効率が高く、かつ大きな騒音を伴うことなく、設備費用も低廉で、設置自由度も高い床版の解体装置及び解体方法を提供することを目的としている。
【課題を解決するための手段】
【００２１】
上記課題を解決するため、この発明の床版解体方法は、既設主桁上に架設されたコンクリート製の既設床版を複数のブロックに切断して撤去する際、既設床版下面にあって既設主桁との定着を解放しようとする箇所の近傍に支持部材及びジャッキからなる上揚機構を配設し、反力を桁材で支持しながら上揚力を既設床版下面に作用させ、既設主桁上フランジと既設床版との定着を解放して両者を分離した後、既設床版を撤去することを特徴とするものである。
【００２２】
床版を支持する既設主桁は、ウエブと上下のフランジから構成され、複数が並列に配置される。上フランジには床版と連結するためジベルが横列に複数本、既設主桁の長手方向に適宜間隔で植立されており、上フランジ上にはジベルを埋め込んだ状態でコンクリートが打設され、既設床版が形成されている。既設床版の押し剥がし作業前には、輸送可能な寸法で切断線を適宜入れておく。
【００２３】
上揚機構は、交通規制前に既設床版の下側に設置しておく手順とし、下側からの突き上げで床版を剥がすものであり、押し剥がしの反力は剥がす床版下の桁材でとる。桁材としては既設主桁の他、受け梁を介しての横桁や対傾構でも支持可能である。上揚機構は撤去しようとする複数の床版パネル分に設置しておくことが可能である。上揚力の調整作業は床版下側で行うことが望ましい。
【００２４】
請求項２記載の床版解体方法の上揚機構は、定着を解放しようとする既設主桁の両側に配設し、左右対称の上揚力を作用させることを特徴とするものである。上揚機構は既設主桁ウェブの両側に２基を１組として設置し、既設主桁両側の上揚力が均等に作用する機構とする。既設主桁と連結する床版に、例えばハンチ等の傾斜部が有り、この面に垂直に押し剥がし力をかける場合には既設主桁に横方向の曲げが作用するが、１つの突き上げ位置に１組の上揚機構を設置することで、既設主桁両側の上揚力を均等にし、上揚力に伴う水平分力を既設主桁ウェブの両側で互いに打ち消し合う。
【００２５】
請求項３記載の床版解体方法における既設床版は、既設主桁と連結する部分にハンチを有し、前記上揚機構は、このハンチ面に上揚力を作用させることを特徴とするものである。既設床版のコア抜き孔に挿通した鋼棒のアンカーを床版下面でとる従来技術では、揚力に伴う水平分力が発生するハンチ等の傾斜部にはアンカーをとれなかったが、下側からの突き上げで床版を剥がす解体方法ではハンチ面に対しても上揚力を作用させることができる。
【００２６】
ハンチ面に上揚力を作用させる場合には、ハンチ部を避けてＰＣ鋼棒を設置する従来の床版解体方法に比べ、既設主桁と上揚力作用点との距離が小さくなり、既設床版を剥がす上揚力が大きい場合でも、既設主桁上での曲げモーメントが、従来の床版解体方法に比べて小さくなる。
【００２７】
請求項４記載の床版解体装置は、複数のブロックに切断されたコンクリート製の既設床版を既設主桁から分離するため、桁材に固定する反力台と、この反力台に載置し上面を既設床版下面に当接するジャッキを備えることを特徴とするものである。
【００２８】
反力台は、例えば、既設主桁の下フランジから立設する支持材と、ウエブ側面から跳ね出す受台からなり、この上面に床版下面の傾斜に合わせるため角度調整機構を介在してジャッキを載置する。角度調整機構の代わりにジャッキの上にキャンバーを介在させる構成でもよい。
【００２９】
ジャッキは複数の受台に受け梁を流し、これに載せる構成でもよい。又反力台として既設主桁ウエブより跳ね出すブラケットを用いる構成でもよいし、既設主桁に設ける吊金具を利用し、これから受台を吊上げる構成でもよい。又横桁や対傾構で受け梁を支持し、これにジャッキを載置する構成でもよい。
【発明の効果】
【００３０】
この発明の床版解体方法は、既設床版下面に上揚機構を配設し上揚力を既設床版下面に作用させて既設主桁と既設床版との定着を解放して両者を分離するので、装置の設置等の準備工を交通規制前に行えるため、交通規制時間を短くできる。又交通規制時間が限られる場合には、剥がし作業や新床版設置作業に時間を有効利用できる。
【００３１】
既設床版の剥がし作業が完了したら、上揚機構を撤去する前に剥がした既設床版の吊上げ移動作業を行ってもよく、又既設床版の吊上げには床版のコア抜き作業を行わない方法も可能である。
【００３２】
隣接床版の有無に関わらず、下側からの突き上げで剥がし作業が実施できるため、新床版の設置とは無関係に次の既設床版の剥がし作業にかかれる。又引き剥がす床版の順序が限られず一段階で任意寸法の床版を引き剥がすことが可能であり、部分的な撤去にも容易に対応できる。
【００３３】
又はつり作業が不要なので研磨剤や水、コンクリート粉の飛散防止設備が不要でコストの低廉化が望める。又研磨剤によるコンクリートのはつり作業を伴う従来の解体方法に比べ引き剥がし作業時に大きな騒音を生じないメリットもある。
【００３４】
請求項２記載の床版解体方法の上揚機構は、既設主桁の両側から左右対称の上揚力を作用させるので、上揚力に伴う水平分力は既設主桁ウェブの両側で互いに打ち消し合うことができ、床版の引き剥がし時に既設主桁には横方向の曲げが生じない。
【００３５】
請求項３記載の床版解体方法は、ハンチ面に上揚力を作用させるので、既設主桁と上揚力作用点との距離が小さくなり、既設床版を剥がす上揚力が大きい場合でも、既設主桁上での曲げモーメントが、ハンチ部分を避けてＰＣ鋼棒を設置する従来の床版解体方法に比べて小さくなり、既設床版の曲げ破壊が生ずる可能性が少なくなる。
【００３６】
請求項４記載の床版解体装置は、桁材に固定する反力台と、この反力台に載置し上面を既設床版下面に当接するジャッキを備えるので、床版上側で引き剥がし作業を行う技術では床版と既設主桁との剥がれ状況が目視できないので上揚力のかけ具合を直感的に判断しづらいが、この床版解体装置は床版下側で床版と既設主桁との剥がれ状況を目視しながら上揚力を調整することが可能である。又一本の反力ビームの反力支点を引き剥がす既設床版の両側に隣接設置する技術では、反力支点間の調整幅が少なく、大幅に調整する場合は装置の大幅な改良を要するが、この床版解体装置は突き上げ位置を任意に選ぶことが可能で、突き上げ位置の距離が徐々に変わる場合にも任意に対応できる。
【発明を実施するための最良の形態】
【００３７】
次にこの発明の実施の形態を添付図面に基づき詳細に説明する。図1は既設橋梁において損傷した床版を新しい床版に取り替える手順の説明図である。撤去対象となる損傷した既設床版１は、並列して配置された既設主桁２に支持されており（図1（ａ））、既設主桁２と既設床版１は、既設主桁２上に立設された多数の結合材によって強固に結合されている。
【００３８】
この既設床版１を撤去して新たな床板に置き換える際には、コンクリートカッタ等を用いて橋軸直角方向に切断線３ａを、又必要に応じて橋軸方向に切断線３ｂを入れ、輸送可能な寸法で切断された分割床版４を形成する（図1（ｂ））。
【００３９】
分割床版４は図示しない床版解体装置を用いて既設主桁２から剥がした後、図示しない搬出手段を用いて順次撤去し（図1（ｃ））、その後図示しない搬入手段を用いて新しい床版５を搬入し、既設主桁２上に設置する（図１（ｄ））。同様な手順により損傷した既設床版１を順番に新しい床版５に取り替えていく（図１（ｅ））。
【００４０】
ここで床版解体装置の構成を図２に基づき説明する。床版解体装置６は、既設主桁２に固定する反力台Ａと、この反力台Ａに載置し上面を既設床版１下面に当接するジャッキＢを備える。反力台Ａとしては、例えば、既設主桁２同士を連結する横桁を用い、この上面にジャッキＢを載置し、キャンバーＣを介在させて既設床版１のハンチ１ａ下面に上揚力を作用させる。
【００４１】
次に分割床版を既設主桁から剥がすための床版解体装置の設置状況を図３及び図４に基づき説明する。図３は、床版解体装置を取り付けた既設橋梁下面の斜視図、図４は道路線形が曲線状の既設床版を取り替える際の分割床版を示す平面図である。
【００４２】
既設主桁２から分離する分割床版４の下面には、図３に示すように床版解体装置６を既設主桁２に沿って適宜間隔を開けて設置する。床版解体装置６は分割床版４の橋軸直角方向の切断線３ａを挟んで設置する。橋梁の平面形状が曲線の場合、床版解体装置６の間隔は曲線の内外では大きく異なる。例えば図４に示す内側の分割床版４INにおける間隔ＬINに対し、外側の分割床版４OUTでは間隔ＬOUTとなり、この間に設置する床版解体装置６の間隔ＬはＬIN〜ＬOUTに漸次変化していくことになる。
【００４３】
このような分割床版を、例えば図１３及び図１４に示すような従来の床版解体装置１０１を用いて引き剥がす場合には、一対のジャッキ１１０，１１０で支持される梁材１１１のスパンが夫々異なることになり、長さや断面性能の異なる梁材を用意しなければならない。これに対し、分割床版４の下面に設置する床版解体装置６では、全く同じ装置を転用することができる。
【００４４】
次に床版解体装置の詳細を図５に基づき説明する。図５は床版解体装置を取り付けた既設主桁の断面図である。撤去対象となる分割床版４は既設主桁２上に立設された結合材７によって強固に結合されている。床版解体装置６は、既設主桁２の下フランジ２ａから立設する支持材８と、ウエブ２ｂ側面から跳ね出す梁状の受台９と、この受台９の上面に角度調整機構１０を介在して載置するジャッキ１１からなる。
【００４５】
角度調整機構１０は、分割床版４下面の既設主桁２取付部近傍におけるハンチ４ａ等の傾斜に合わせ、これと直交するようにジャッキ１１を傾斜させるものである。受台９は一端をウエブ２ｂの側面にボルトナット９ａ等を用いて固定し、他端を支持材８にて支持する。支持材８は両端をピン結合し、反力を下フランジ２ａに伝達する。
【００４６】
この床版解体装置６は、既設主桁２のウェブ２ｂの両側に２基を１組として設置する。左右対称の上揚力を作用させることで、上揚力に伴う水平分力は既設主桁２のウェブ２ｂの両側で互いに打ち消し合うことができ、既設主桁２に横方向の曲げ力が作用しなくなる。
【００４７】
又ハンチ面に上揚力を作用させる場合には、図６に示すように、既設主桁２と上揚力作用点との距離ｌ’が小さくなり、既設床版１を剥がす上揚力Ｐが大きい場合でも、既設主桁２上のＣＬ部での曲げモーメントＭ’CLが、図２０に示す従来の床版解体方法におけるモーメントＭCL比べて小さくなり、既設床版１の曲げ破壊が生ずる可能性が少なくなる。
【００４８】
上揚力の調整作業は分割床版４の下側で、床版４と既設主桁２との剥がれ状況を目視しながら行うことが望ましい。押し剥がす分割床版４の順序は特に限定されず一段階で任意寸法の分割床版４を押し剥がすことが可能である一方、部分的な撤去に対しても容易に対応可能である。
【００４９】
この床版解体装置６は交通規制前に既設床版１の下側に必要台数分設置しておく。従って床版解体装置６は複数の分割床版４の下面に予め設置しておくことが可能であり、装置設置等の準備工を交通規制前に行えるため、交通規制時間を短くできる。又、ジャッキ１１を支持する支持材８及び受台９は新既設床版移動用の図示しない軌道を支持する機構としても転用可能である。
【００５０】
この床版解体装置６を用いる解体方法は、既設床版１の下側からジャッキ１１による突き上げで分割床版４を押し剥がすものであり、その反力は図５に示すように、既設主桁２の下フランジ２ａとウエブ２ｂでとっている。既設主桁２の作用中立軸付近に連結ボルト孔を設け、ボルトナット９ａにて表裏の受台９，９を接続すると、後の既設主桁作用には影響がなくなる。
【００５１】
ジャッキ１１の押し上げにより、既設主桁２の上フランジ２ｃと分割床版４との定着を解放して両者を分離した後、分割床版４を撤去する。分割床版４の押し剥がし作業が完了したら、すぐに分割床版４の吊り上げ移動作業を開始する手順が望ましい。即ち押し剥がし作業後に分割床版４を撤去し、続いて新床版５の設置を並行作業で行い、これらが完了した後、次の分割床版４の押し剥がし作業を行う手順とする。分割床版４の吊上げ移動にはコア抜き作業を行わない方法も可能であるが、必要な場合にはコア抜きを行って吊り具を取り付けてもよい。
【００５２】
角度調整機構１０は既設床版１の下面の傾斜に合わせて、これと直交するようにジャッキ１１を傾斜させるものであるが、図７に示すように角度調整機構の代わりにジャッキ１１の上に傾斜調整材であるキャンバー１２を介在させる床版解体装置１６としてもよい。キャンバー１２を介在させる場合には分割床版４に作用する押し剥がし力は鉛直上方向となる。なお、図７以降の図において図５と同様な構成・作用を呈する部材は図５と同一の符号を用いて詳細な説明は省略する。
【００５３】
このような床版解体装置６，１６は、ジャッキ１１を配置する全ての箇所に受台９及び支持材８を設ける構成でもよいが、最小限の受台を設置してこれに受梁を渡す構造としてもよい。この実施形態を図８に示す。図８の床版解体装置２６はウエブ２ｂの側面から跳ね出す複数の受台９に受梁１３を流し、この上面にジャッキ１１を載置する構成である。既設主桁２と並行して受梁１３を設けることで、受台９及び支持材８の設置箇所が減少できると共に、ジャッキ１１の設置位置が自由に選択できるようになる。突き上げ位置を任意に選ぶことが可能となると、突き上げ位置の距離が徐々に変わる場合にも適宜対応可能となる。
【００５４】
既設主桁２に固定する反力台としては、図９に示すような既設主桁２のウエブ２ｂより跳ね出すブラケット１４を用いる構成としてもよい。この場合にはブラケット１４にて全ての反力を受けることになる。又上揚力に十分耐え得る足場吊金具等が既設主桁に設けられている場合は、図１０に示すように、この吊金具１５を利用し、吊具１６を用いて受台９を支持する構成としてもよい。又反力は既設主桁のみならず、横桁や対傾構で支持する構成としてもよい。この実施形態を図１１に示す。横桁２２や対傾構で受梁１３を支持し、これにジャッキ１１を載置する構成である。
【００５５】
以上説明した床版解体装置は、主に既設主桁の両側に２基を１組として設置するものであるが、既設主桁左右の荷重を非対称とするケースも考えられる。この実施形態を図１２に示す。既設主桁２と連結する既設床版１に、ハンチ１ａ等の傾斜部が有り、この面に垂直に押し剥がし力をかける場合には既設主桁２方向に水平分力Ｈが作用する。この時片側からの上揚力の場合には、既設主桁２上に立設された結合材７を拘束する力が減少若しくは無くなるため、結合材７と既設床版１との分離が容易になる。
【産業上の利用可能性】
【００５６】
この発明の床版解体方法及び床版解体装置は、橋梁の既設主桁上にある既設床版の解体撤去のみならず、広く鋼桁上に載置される既設床版の解体撤去作業に適用できる。
【図面の簡単な説明】
【００５７】
【図１】損傷した床版を新しい床版に取り替える手順の説明図である。
【図２】床版解体装置を取り付けた既設橋梁の断面図である。
【図３】床版解体装置を取り付けた既設橋梁下面の斜視図である。
【図４】曲線状の既設床版を取り替える際の分割床版を示す平面図である。
【図５】床版解体装置を取り付けた既設主桁の断面図である。
【図６】ハンチ面に対称に上揚力を作用させる場合の説明図である。
【図７】別の実施形態の床版解体装置を取り付けた既設主桁の断面図である。
【図８】別の実施形態の床版解体装置を取り付けた既設主桁の断面図である。
【図９】別の実施形態の床版解体装置を取り付けた既設主桁の断面図である。
【図１０】別の実施形態の床版解体装置を取り付けた既設主桁の断面図である。
【図１１】別の実施形態の床版解体装置を取り付けた既設主桁の断面図である。
【図１２】片側のハンチ面に上揚力を作用させる場合の説明図である。
【図１３】従来の床版解体方法を説明する床版の平面図である。
【図１４】従来の床版解体装置の正面図である。
【図１５】既設床版と既設主桁の分離状況を説明する断面図である。
【図１６】研磨材の噴射による床版解体方法を説明する断面図である。
【図１７】コア抜きでジベルを切断する床版の斜視図である。
【図１８】コア抜きでジベルを切断する床版の側面図である。
【図１９】静的破砕剤にて床版を切り離す床版の斜視図である。
【図２０】従来の解体方法で上揚力を作用させる場合の説明図である。
【符号の説明】
【００５８】
１  既設床版
２  既設主桁
３ａ  切断線
３ｂ  切断線
４  分割床版
６  床版解体装置
７  結合材
８  支持材
９  受台
１０  角度調整機構
１１  ジャッキ
【図１】
2007100415.tif 000003
【図２】
2007100415.tif 000004
【図３】
2007100415.tif 000005
【図４】
2007100415.tif 000006
【図５】
2007100415.tif 000007
【図６】
2007100415.tif 000008
【図７】
2007100415.tif 000009
【図８】
2007100415.tif 000010
【図９】
2007100415.tif 000011
【図１０】
2007100415.tif 000012
【図１１】
2007100415.tif 000013
【図１２】
2007100415.tif 000014
【図１３】
2007100415.tif 000015
【図１４】
2007100415.tif 000016
【図１５】
2007100415.tif 000017
【図１６】
2007100415.tif 000018
【図１７】
2007100415.tif 000019
【図１８】
2007100415.tif 000020
【図１９】
2007100415.tif 000021
【図２０】
2007100415.tif 000022